(57)【要約】【課題】本発明の課題は、被包装物が複数品目あるような製品において、容易に包装でき、かつ、シンプルな構成の包装材セットを提供することにある。【解決手段】包装材セット１は、第１部材３と、第１部材の上方に配置される第２部材２とを少なくとも有する被包装物を梱包するための包装材セット１であって、外装ケース１０と、内部包装部材２０と、固定部材３０とを備える。外装ケースは、所定空間を囲う。内部包装部材は、第２部材を収納する第２スペースＳＰ２を除く空間に配置され、第１部材を収納する第１スペースＳＰ１を、所定空間の内部に区切る。固定部材は、内部包装部材が鉛直方向に移動しないように固定する。内部包装部材は、面状の部材を折り曲げて形成され、第１スペースを囲う面部２１〜２３を有する。面部は、第１スペースの上方を覆う上面部２１を含む。固定部材は、上面部を押さえつけるように外装ケースに嵌められる。【選択図】図１
2010247881.tif 000002
【特許請求の範囲】
【請求項１】
第１部材（３）と、前記第１部材の上方に配置される第２部材（２）とを少なくとも有する被包装物を梱包するための包装材セット（１，１０１）であって、
上面（１１，１１１）と、下面（１２，１１２）と、前記上面および前記下面を支える側面（１３〜１６，１１３）とを少なくとも有し、所定空間を囲う外装ケース（１０，１１０）と、
前記第２部材を収納する第２スペースを除く空間に配置され、前記第１部材を収納する第１スペース（ＳＰ１）を、前記所定空間の内部に区切る内部包装部材（２０，１２０）と、
前記内部包装部材が前記所定空間の内部を鉛直方向に移動しないように固定する固定部材（３０，１３０）と、
を備え、
前記内部包装部材は、面状の部材を折り曲げて形成され、前記第１スペースを囲う面部（２１〜２３，１２１〜１２３）と、折り曲げ加工が施されている折り曲げ部とを有し、
前記面部は、前記第１スペースの上方を覆う上面部（２１，１２１）を含み、
前記固定部材は、前記上面部を押さえつけるように前記外装ケースに嵌められる、
包装材セット（１，１０１）。
【請求項２】
前記被包装物は、第３部材をさらに有し、
前記固定部材は、前記第２スペース（ＳＰ２）と前記第３部材を収納可能な第３スペース（ＳＰ３）とに前記第１スペースを除く前記所定空間をさらに分割する仕切り部（３１，１３１）、を有し、
前記仕切り部は、鉛直方向を含む矩形上の面からなる、
請求項１に記載の包装材セット（１，１０１）。
【請求項３】
前記仕切り部は、鉛直方向における両端の辺のうち、一方の辺の少なくとも一部が前記上面に接しており、他方の辺の少なくとも一部が前記上面部に接する、
請求項２に記載の包装材セット（１，１０１）。
【請求項４】
前記内部包装部材は、前記所定空間の上部を除く空間のうちで、前記外装ケースの少なくとも一部の前記側面の近傍の第４スペース（ＳＰ４）を除いた部分を前記第１スペースとして区切り、
前記仕切り部は、前記第４スペースにおいて、前記他方の辺のうちで少なくとも一部以外の辺が前記下面に接する、
請求項３に記載の包装材セット（１，１０１）。
【請求項５】
前記固定部材は、前記仕切り部材の免状の水平方向における両端に、中心軸が前記第１方向に延びる筒状の２つの筒部（３２，１３２）をさらに有しており、
前記２本の筒部は、その一部が少なくとも前記第４スペースに配置され、その側面の少なくとも一部が前記側面に接しており、かつ、その両端が前記上面および前記下面に圧着している、
請求項４に記載の包装材セット（１，１０１）。
【請求項６】
前記固定部材は、前記仕切り部が略平行になるように２つ並んで配置され、
前記第２スペースは、２つの前記仕切り部と、前記筒部と、前記上面部と、前記上面とにより囲まれている、
請求項５に記載の包装材セット（１，１０１）。
【請求項７】
前記内部包装部材は、前記固定部材において前記第２スペースとは逆側に、前記固定部材が移動することを防止するスペーサ（２３ａ，１２３ａ）をさらに有する、
請求項６に記載の包装材セット（１，１０１）。
【請求項８】
前記内部包装部材は、前記外装ケースの側面と、少なくとも３箇所以上で接している、
請求項１から７のいずれかに記載の包装材セット（１，１０１）。
【請求項９】
前記外装ケース、内部包装部材、および前記固定部材は、ダンボールから成る、
請求項１から８のいずれかに記載の包装材セット（１，１０１）。
【請求項１０】
上面（１１，１１１）と、下面（１２，１１２）と、前記上面および前記下面を支える側面（１３〜１６，１１３）とを少なくとも有し、所定空間を囲う外装ケース（１０，１１０）を組み立てる外装ケース組立ステップ（Ｓ１）と、
第１スペース（ＳＰ１）を前記所定空間の内部に区切る内部包装部材（２０，１２０）を、前記所定空間の上部を除く空間に配置して組み立てる内部包装部材組立ステップ（Ｓ２）と、
第１部材を前記第１スペースに収納する第１部材収納ステップ（Ｓ３）と、
前記内部包装部材の一部であって、前記第１スペースを覆う上面部を折り曲げて前記第１スペースを密閉する密閉ステップ（Ｓ４）と、
前記内部包装部材が前記所定空間の内部を鉛直方向に移動しないように、前記上面部を押さえつけて前記外装ケースに固定部材（３０）を嵌める固定ステップ（Ｓ５）と、
を備える梱包方法。
【発明の詳細な説明】
【技術分野】
【０００１】
本発明は、複数の部材で構成される被包装物を包装するための包装材セットに関する。
【背景技術】
【０００２】
複数の部材で構成される被包装物を包装する包装材セットには、特許文献１（特開２００２−２４０８５９号公報）のようなものがある。
【発明の概要】
【発明が解決しようとする課題】
【０００３】
しかしながら、特許文献１（特開２００２−２４０８５９号公報）では、梱包材の部品点数が多く、かつ、形状が複雑であり、梱包するのに多くの手間が掛かり、コストアップの原因となる。
【０００４】
本発明の課題は、被包装物が複数品目あるような製品において、容易に包装でき、かつ、シンプルな構成の包装材セットを提供することにある。
【課題を解決するための手段】
【０００５】
第１発明に係る包装材セットは、第１部材と、第１部材の上方に配置される第２部材とを少なくとも有する被包装物を梱包するための包装材セットであって、外装ケースと、内部包装部材と、固定部材とを備える。外装ケースは、上面と、下面と、上面および下面を支える側面とを少なくとも有し、所定空間を囲う。内部包装部材は、第２部材を収納する第２スペースを除く空間に配置され、第１部材を収納する第１スペースを、所定空間の内部に区切る。固定部材は、内部包装部材が所定空間内部を鉛直方向に移動しないように固定する。内部包装部材は、面状の部材を折り曲げて形成され、第１スペースを囲う面部と、折り曲げ加工が施されている折り曲げ部とを有する。面部は、第１スペースの上方を覆う上面部を含む。固定部材は、上面部を押さえつけるように外装ケースに嵌められる。
【０００６】
本発明の包装材セットは、外装ケースの内部に内部包装部材を配置して、内部包装部材の内部に第１部材を収納する。そして、固定部材により、内部包装部材の一部であって第１部材の上方を覆う上面部が押さえつけられて、外装ケースに嵌められた状態で収納される。
【０００７】
このように本発明の包装材セットでは、内部包装部材の上面部を固定部材により固定した状態にすることができるため、残りの被包装物である第２部材をその上の空間に収める場合に、上面部が邪魔になることがなく収納作業を行うことができる。
【０００８】
第２発明に係る包装材セットは、第１発明に係る包装材セットであって、被包装物は、第３部材をさらに有する。固定部材は、第２スペースと第３スペースとに第１スペースを除く所定空間をさらに分割する仕切り部を有する。第３スペースは、第３部材を収納可能である。仕切り部は、鉛直方向を含む矩形上の面からなる。
【０００９】
本発明の包装材セットは、固定部材の一部である仕切り部が、第１スペース（内部包装部材が占有するスペース）を除く所定空間をさらに、第２スペースと第３スペースとに区切っている。そして、第２スペースに第２部材が収納され、第３スペースに第３部材が収納されることになる。すなわち、固定部材は、内部包装部材の上面部を抑えつつ、固定部材の一部である仕切り部により、第２スペースと第３スペースとを生み出していることになる。
【００１０】
したがって、内部包装部材に収納される第１部材以外の第２部材および第３部材を、残りの第２スペースおよび第３スペースに収納させることができる。
【００１１】
第３発明に係る包装材セットは、第２発明に係る包装材セットであって、仕切り部は、鉛直方向における両端の辺のうち、一方の辺の少なくとも一部が上面に接しており、他方の辺の少なくとも一部が上面部に接する。
【００１２】
本発明の包装材セットは、固定部材のうちの仕切り部が内部包装部材の上面部から外装ケースの上面まで鉛直方向に延びているため、外装ケースが閉じた状態（すなわち、本発明の包装材セットが完全に密閉された状態）においては、少なくとも内部包装部材の上面部を開きにくくすることができる。したがって、輸送の際に、内部包装部材から第１部材が飛び出して、外装ケースの内部を第１部材が飛び跳ねるなどして動くことにより破損することを防ぐことができる。
【００１３】
第４発明に係る包装材セットは、第３発明に係る包装材セットであって、内部包装部材は、所定空間の上部を除く空間のうちで、外装ケースの少なくとも一部の側面近傍の第４スペースを除いた部分を第１スペースとして区切る。仕切り部は、第４スペースにおいて、他方の辺のうちで少なくとも一部以外の辺が下面に接する。
【００１４】
本発明の包装材セットでは、固定部材の仕切り部が、外装ケースの上面と下面との両方に接している部分がある。したがって、梱包された状態の包装材セットにおいて、鉛直方向における強度（例えば、上下からの圧力に対する強度）を確保することができる。これにより、鉛直方向における圧力などにより、非包装物が破損することを防ぐことができる。
【００１５】
第５発明に係る包装材セットは、第４発明に係る包装材セットであって、固定部材は、仕切り部材の面上の水平方向における両端に、中心軸が第１方向に延びる筒状の２つの筒部をさらに有する。２本の筒部は、その一部が少なくとも第４スペースに配置され、その側面の少なくとも一部が側面に接しており、かつ、その両端が上面および下面に圧着している。
【００１６】
本発明の包装材セットでは、固定部材における仕切り部の面上の水平方向における両端に、鉛直方向に延びる筒状の２つの筒部が配置されている。そして、２つの筒部は、その側面の一部が外装ケースの側面と接しており、その両端が外装ケースの上面から下面へと延びている。
【００１７】
したがって、梱包された状態の包装材セットにおいて、鉛直方向における強度（例えば、上下からの圧力に対する強度）をより確保することができる。これにより、鉛直方向における圧力などにより、非包装物が破損することを防ぐことができる。また、水平方向における強度（外装ケースの側面へ掛かる圧力に対する強度）も確保することができる。
【００１８】
第６発明に係る包装材セットは、第５発明に係る包装材セットであって、固定部材は、仕切り部が略平行になるように２つ並んで配置される。第２部材を収納する第２スペースは、２つの仕切り部と、筒部と、上面部と、上面とにより囲まれている。
【００１９】
本発明の包装材セットでは、第２部材を、２つの仕切り部と、筒部と、上面部と、上面とが支えている。したがって、２つの仕切り部と、筒部と、上面部と、上面とにより形成される第２スペースの内部から第２部材がどの方向にも動かないように固定できる。
【００２０】
第７発明に係る包装材セットは、第６発明に係る包装材セットであって、内部包装部材は、固定部材の第２スペースとは逆側に、固定部材が移動することを防止するスペーサをさらに有する。
【００２１】
したがって、第２部材が輸送の際に動いて、第２スペースから移動することをさらに防ぐことができる。
【００２２】
第８発明に係る包装材セットは、第１発明から第７発明のいずれかに係る包装材セットであって、内部包装部材は、外装ケースの側面と、少なくとも３箇所で接している。
【００２３】
したがって、第１部材が輸送の際に動いて、内部包装部材が外装ケースの内部で移動することを防ぐことができる。
【００２４】
第９発明に係る包装材セットは、第１発明から第８発明のいずれかに係る包装材セットであって、外装ケース、内部包装部材、および固定部材は、ダンボールから成る。
【００２５】
したがって、組立を容易にでき、組立コストを安価にすることができる。
【００２６】
第１０発明に係る包装材セットは、外装ケース組立ステップと、内部包装部材組立ステップと、第１部材収納ステップと、密閉ステップと、固定ステップとを備える。外装ケース組立ステップでは、上面と、下面と、上面および下面を支える側面とを少なくとも有し、所定空間を囲う外装ケースを組み立てる。内部包装部材組立ステップでは、第１スペースを所定空間の内部に区切る内部包装部材を、所定空間の上部を除く空間に配置して組み立てる。第１部材収納ステップでは、第１部材を第１スペースに収納する。密閉ステップでは、内部包装部材の一部であって、第１スペースを覆う上面部を折り曲げて第１スペースを密閉する。固定ステップでは、内部包装部材が所定空間の内部を鉛直方向に移動しないように、上面部を押さえつけて外装ケースに固定部材を嵌める。
【００２７】
本発明の梱包方法は、外装ケースの内部に内部包装部材を配置して、内部包装部材の内部に第１部材を収納する。そして、固定部材により、内部包装部材の一部であって第１部材の上方を覆う上面部が押さえつけられて、外装ケースに嵌められた状態で収納される。
【００２８】
このように本発明の梱包方法では、内部包装部材の上面部を固定部材により固定した状態にすることができるため、例えば、残りの被包装物である第２部材をその上の空間に収める場合や外装ケースの蓋（すなわち上面）で塞ぐ場合などに、上面部が邪魔になることがなく収納作業を行うことができる。
【発明の効果】
【００２９】
第１発明に係る包装材セットでは、内部包装部材の上面部を固定部材により固定した状態にすることができるため、例えば、残りの被包装物である第２部材をその上の空間に収める場合や外装ケースの蓋（すなわち上面）で塞ぐ場合などに、上面部が邪魔になることがなく収納作業を行うことができる。
【００３０】
第２発明に係る包装材セットでは、内部包装部材に収納される第１部材以外の第２部材および第３部材を、残りの第２スペースおよび第３スペースに収納させることができる。
【００３１】
第３発明に係る包装材セットでは、固定部材のうちの仕切り部が内部包装部材の上面部から外装ケースの上面まで鉛直方向に延びているため、外装ケースが閉じた状態（すなわち、本発明の包装材セットが完全に密閉された状態）においては、少なくとも内部包装部材の上面部を開きにくくすることができる。したがって、輸送の際に、内部包装部材から第１部材が飛び出して、外装ケースの内部を第１部材が飛び跳ねるなどして動くことにより破損することを防ぐことができる。
【００３２】
第４発明に係る包装材セットでは、梱包された状態の包装材セットにおいて、鉛直方向における強度（例えば、上下からの圧力に対する強度）を確保することができる。これにより、鉛直方向における圧力などにより、非包装物が破損することを防ぐことができる。
【００３３】
第５発明に係る包装材セットでは、梱包された状態の包装材セットにおいて、鉛直方向における強度（例えば、上下からの圧力に対する強度）をより確保することができる。これにより、鉛直方向における圧力などにより、非包装物が破損することを防ぐことができる。また、水平方向における強度（外装ケースの側面へ掛かる圧力に対する強度）も確保することができる。
【００３４】
第６発明に係る包装材セットでは、２つの仕切り部と、筒部と、上面部と、上面とにより形成される第２スペースの内部から第２部材がどの方向にも動かないように固定できる。
【００３５】
第７発明に係る包装材セットでは、第２部材が輸送の際に動いて、第２スペースから移動することをさらに防ぐことができる。
【００３６】
第８発明に係る包装材セットでは、第１部材が輸送の際に動いて、内部包装部材が外装ケースの内部で移動することを防ぐことができる。
【００３７】
第９発明に係る包装材セットでは、組立を容易にでき、組立コストを安価にすることができる。
【００３８】
第１０発明に係る梱包方法では、内部包装部材の上面部を固定部材により固定した状態にすることができるため、例えば、残りの被包装物である第２部材をその上の空間に収める場合や外装ケースの蓋（すなわち上面）で塞ぐ場合などに、上面部が邪魔になることがなく収納作業を行うことができる。
【図面の簡単な説明】
【００３９】
【図１】本発明の一実施形態に係る梱包対象および梱包材の分解斜視図。
【図２】図１の梱包材の手前側の面、右側の面、および上面を除いた図。
【図３】図１のＩＩＩ−ＩＩＩ断面図。
【図４】内部収納ケースの展開図。
【図５】収納スペーサの展開図。
【図６】センサキット本体を包装する手順を示すフローチャート。
【図７】変形例（４）に係る図２に対応する図。
【発明を実施するための形態】
【００４０】
以下図面を参照しながら、本発明の一実施形態について説明する。なお、以下の第一実施形態は、本発明の具体例であって、本発明の技術的範囲を限定するものではない。図１は、本発明の一実施形態に係る梱包対象および梱包材の分解斜視図であり、図２は、図１の梱包材の手前側の面、右側の面、および上面を除いた図である。図３は、図１の一点鎖線で記載した面で分割した部分のＩＩＩ−ＩＩＩ断面図である。
【００４１】
＜包装材セット＞
包装材セット１は、センサキットなどの製品を梱包して、輸送の際の衝撃や傷つきから製品を保護するための部材である。以下は、センサキット本体２を梱包する包装材セットを例に説明する。
【００４２】
＜包装材セットの構成＞
包装材セットは、主として、外装ケース１０と、内部収納ケース２０と、２つの収納スペーサ３０とにより構成される。これらの、外装ケース１０と、内部収納ケース２０と、２つの収納スペーサ３０とは、ダンボールによりなる。
【００４３】
外装ケース１０は、天面部材１１、底面部材１２、正面部材１３、背面部材１４、左側面部材１５、および右側面部材１６の面に囲まれる直方体形状の箱である。なお、図１において、手前側を正面、奥側を背面とする。
【００４４】
内部収納ケース２０は、外装ケース１０の下部に配置され、第１スペースＳＰ１としてセンサキット本体２に付属される付属品であるフランジ３を収納する。内部収納ケース２０は、主に、上面部材２１と、底面部材２２と、２つの側面部材２３とにより構成される（図１，２，４参照）。図４は、内部収納ケース２０の展開図である。底面部材２２は、外装ケース１０の底面部材１２の左右方向および前後方向においてほぼ同じ長さの部分があり、外装ケース１０の側面を形成する正面部材１３、背面部材１４、左側面部材１５、および右側面部材１６に接している。すなわち、内部収納ケース２０は、底面部材２２が前後方向においては正面部材１３と背面部材１４とに挟まれて接しており、左右方向においては左側面部材１５と右側面部材１６とに挟まれて接していることになり、外装ケース１０の内部において前後左右方向に固定される。また、内部収納ケース２０は、外装ケース１０の内部において底部のうちの正面部材１３および背面部材１４近傍の第４スペースＳＰ４を除く空間を第１スペースＳＰ１として区切っている。また、２つの側面部材２３の、左右方向の両端にスペーサとしての延長部分２３ａが設けられている。
【００４５】
内部収納ケース２０に、フランジ３を収納する際には、フランジ３がちょうど嵌合するようにかたどったフランジ収納用スペーサ２４（図３の網掛けのハッチングを参照）を配置する。さらに、上面部材２１によりフランジ３の上面を覆う前に上面部材２１とフランジ３との間にフランジ用緩衝材２５（図３の斜線ハッチングを参照）を配置する。フランジ用緩衝材２５はまた、フランジ３とフランジ３との間や、底面部材２２とフランジ３との間にも挿入される。このように、第１スペースＳＰ１においては、フランジ３が嵌合された状態のフランジ収納用スペーサ２４とフランジ用緩衝材２５とが積層された状態で密閉されることになる。これにより、フランジ３が第１スペースＳＰ１においてどの方向にも動かないようにすることができ、輸送の際に振動や衝撃などがあっても安全に輸送でき、かつ、フランジ３やセンサキット本体２等の製品の破損を防ぐことができる。
【００４６】
２つの収納スペーサ３０は、主に、外装ケース１０内部の空間のうちで第１スペースＳＰ１を除く空間を分割する仕切り部３１と、中心軸が鉛直方向に延びる２本の筒部３２とを有する（図１，２，５参照）。図５は、収納スペーサ３０の展開図である。仕切り部３１は、外装ケース１０の内部を左右に分割する方向に仕切っており、外装ケース１０の天面部材１１、底面部材１２、正面部材１３、および背面部材１４に接する。すなわち、仕切り部３１は、外装ケース１０の内部を上下方向および前後方向に延びている。２本の筒部３２は、仕切り部３１の前後方向の端部の辺に沿って鉛直方向に延びるように配置され、その両端が外装ケース１０の天面部材１１と底面部材１２とに圧着した状態となっている。また、２本の筒部３２は、その断面が四角形状となっており、その側面が正面部材１３または背面部材１４と接している。２つの収納スペーサ３０は、右側または左側から視ると、外装ケース１０の左側側面部材１５または右側側面部材１４の形状から、内部収納ケース２０が占有する第１スペースの部分を除いた形状となる。すなわち、長方形状の底部の中央付近を、小さな長方形で切り欠いたような形状となる。そして、その切り欠いた小さな長方形の水平方向外側に２つの筒部３２が配置されるような構造となっている。
【００４７】
２つの収納スペーサ３０は、筒部３２が仕切り部３１の片側の面に設けられており、外装ケース１０内部において筒部３２が設けられる側を内側として向かい合って配置される。このように、２つの収納スペーサは、外装ケース１０内部の空間のうちで第１スペースＳＰ１を除く空間を、外装ケース１０の中心を含む第２スペースＳＰ２と、第２スペースＳＰ２の外側の２つの第３スペースＳＰ３とに分割している。また、２つの収納スペーサ３０は、内部収納ケース２０の２つの側面部材２３に設けられた延長部分２３ａにより、第２スペースＳＰ２とは反対側（すなわち、２つの筒部が配置される面とは反対側）に移動しないようにできる。
【００４８】
なお、第２スペースＳＰ２には、センサキット本体２が収納され、第３スペースＳＰ３にはその他の付属品が収納される。なお、ここにいう「その他の付属品」とは、例えば、フランジ３をセンサキット本体２に取り付けるためのボルトおよびナットや、センサキット本体２を配置するためのボルトおよびナットなどがある。
【００４９】
＜センサおよびその付属品の包装手順＞
センサキット本体２およびその付属品を包装する手順について図６のフローチャートに基づいて説明する。センサキット本体２およびその付属品の包装は、以下のステップＳ１からステップＳ３までの手順を行うことにより為される。
【００５０】
ステップＳ１では、外装ケース１０を組み立てて、天面部材１１が開放されている状態とする。
【００５１】
ステップＳ２では、外装ケース１０の底部に、内部収納ケース２０をその２つの側面部材２３が折り曲げられた状態で配置する。
【００５２】
ステップＳ３では、フランジ収納用スペーサ２４を配置して、フランジ３を収納する。
【００５３】
ステップＳ４では、フランジ用緩衝材２５を配置して、２つの側面部材２３の延長部分２３ａを鉛直方向に残した状態で内部収納ケース２０の上面部材２１を折り曲げて閉じる。
【００５４】
ステップＳ５では、収納スペーサ３０を外装ケース１０の内部に片側の１つだけ配置する。これにより、内部収納ケース２０の上面部材２１が収納スペーサ３０により上から押さえられた状態となる。
【００５５】
ステップＳ６では、ステップＳ５により既に配置された収納スペーサ３０の仕切り部３１および筒部３２に接するようにセンサキット本体２を配置する。
【００５６】
ステップＳ７では、ステップＳ５により既に配置された収納スペーサ３０の反対側にもう１つの収納スペーサ３０を配置する。
【００５７】
ステップＳ８では、収納スペーサ３０を配置し終えたことにより生じた第３スペースＳＰ３に残りの付属品を配置する。
【００５８】
ステップＳ９では、センサキット本体２の上面に緩衝材を配置した後に、外装ケース１０の天面部材１１を折り曲げて閉じる。
【００５９】
＜特徴＞
（１）
本実施形態の包装材セット１は、外装ケース１０の内部に内部収納ケース２０を配置して、内部収納ケース２０の内部にセンサキット本体２の付属品であるフランジ３を収納する。そして、収納スペーサ３０により、内部収納ケース２０の一部であってフランジ３の上方を覆う上面部材２１が押さえつけられて、外装ケース１０に嵌められた状態で収納される。
【００６０】
このように包装材セット１では、内部収納ケース２０の上面部材２１を収納スペーサ３０により固定した状態にすることができるため、センサキット本体２をその上の空間に収める際に、上面部材２１が邪魔になることがなく収納作業を行うことができる。
【００６１】
また、収納スペーサ３０のうちの仕切り部３０が内部収納ケース２０の上面部材２１から外装ケースの上面まで鉛直方向に延びているため、外装ケースが閉じた状態（すなわち、本発明の包装材セットが完全に密閉された状態）においては、少なくとも内部収納ケース２０の上面部材２１を開きにくくすることができる。したがって、輸送の際に、内部収納ケース２０からフランジ３が飛び出して、外装ケース１０の内部をフランジ３が飛び跳ねるなどして動くことにより破損することを防ぐことができる。
【００６２】
（２）
本実施形態の包装材セット１は、収納スペーサ３０の一部である仕切り部３１が、第１スペースＳＰ１（内部収納ケース２０が占有するスペース）を除く外装ケース１０の内部空間をさらに、第２スペースＳＰ２と第３スペースＳＰ３とに区切っている。そして、第２スペースＳＰ２に本体であるセンサキット本体２が収納され、第３スペースＳＰ３に第３部材が収納されることになる。すなわち、収納スペーサ３０は、内部収納ケース２０の上面部材２１を抑えつつ、収納スペーサ３０の一部である仕切り部３１により、第２スペースＳＰ２と第３スペースＳＰ３とを生み出していることになる。
【００６３】
したがって、内部収納ケース２０に収納されるフランジ３以外のセンサキット本体２およびその他付属品を、残りの第２スペースＳＰ２および第３スペースＳＰ３に収納させることができる。
【００６４】
（３）
本実施形態の包装材セット１では、収納スペーサ３０における仕切り部３１の面上の水平方向における両端に、鉛直方向に延びる２つの筒部３２が配置されている。そして、２つの筒部３２は、その側面の一部が外装ケース１０の正面部材１３または背面部材１４に接しており、その両端が外装ケース１０の天面部材１１から底面部材１２へと延びている。
【００６５】
したがって、梱包された状態の包装材セット１において、鉛直方向における強度（例えば、上下からの圧力に対する強度）をより確保することができる。これにより、鉛直方向における圧力などにより、被包装物（センサキット本体２、フランジ３、およびその他の付属品）が破損することを防ぐことができる。また、水平方向における強度（外装ケースの側面へ掛かる圧力に対する強度）も確保することができる。
【００６６】
（４）
本実施形態の包装材セット１では、センサキット本体２を、２つの仕切り部３１と、筒部３２と、上面部材２１と、天面部材１１とが支えている。したがって、２つの仕切り部３１と、筒部３２と、上面部材２１と、天面部材１１とにより形成される第２スペースの内部からセンサキット本体２がどの方向にも動かないように固定できる。また、内部収納ケース２０は、収納スペーサ３０の第２スペースＳＰ２とは逆側に、収納スペーサ３０が移動することを防止する延長部分２３ａをさらに有するため、センサキット本体２が輸送の際に動いて、第２スペースＳＰ２から移動することをさらに防ぐことができる。さらに、内部収納ケース２０は、外装ケース１０の側面である正面部材１３、背面部材１４、左側面部材１５、および右側面部材１６と接しているため、フランジ３が輸送の際に動いて、内部収納ケース２０が外装ケースの内部で移動することを防ぐことができる。
【００６７】
＜変形例＞
（１）
上記実施形態に係る包装材セット１では、２つの収納スペーサに設けられる筒部３２の断面形状が四角形状であるが、これに限らず、円形状であっても良いし、三角形状であっても良いし、他の多角形状であっても良い。
【００６８】
（２）
上記実施形態に係る包装材セット１では、内部収納ケース２０が外装ケース１０の底部に配置されているが、これに限らず、外装ケース１０の内部であって上部を除く位置であればどこでも構わない。例えば、内部収納ケース２０の下方に、さらに収納ケースや付属品を配置するようにしても構わない。
【００６９】
（３）
上記実施形態に係る包装材セット１では、第１スペースＳＰ１にフランジ３を収納し、第２スペースにセンサキット本体２を収納し、第３スペースＳＰ３に付属品を収納しているが、収納場所はこれに限定するものではない。例えば、第３スペースＳＰ３に本体を収納するようなものであっても構わない。
【００７０】
（４）
上記実施形態に係る包装材セット１では、外装ケース１０や収納する製品の本体（センサキット本体２）の形状が直方体形状であるが、これに限らずに、この形状は例えば図７のように円柱形状の外装ケース１１０であっても良い。なお、本変形例（４）における構成は外装ケース以外の部分は上記実施形態とほぼ対応しており、本変形例（４）における番号表記は上記実施形態における番号表記を１００番台に置き換えたものである。
【００７１】
このように、円柱形状の場合には、内部収納ケース１２０の底面部材１２２の左右方向の端部において外装ケース１１０の側面に沿うように接するような形状となっている。
【産業上の利用可能性】
【００７２】
本発明は、容易に組立が可能で、かつ、構成がシンプルであり、複数の部材で構成される被包装物を包装するための包装材セット等として有用である。
【符号の説明】
【００７３】
１，１００  包装材セット
２          センサキット本体（第２部材）
３          フランジ
１０，１１０  外装ケース
２０，１２０  内部収納ケース（内部包装部材）
２１，１２１  上面部材（上面部、面部）
２２，１２１  底面部材（面部）
２３，１２３  側面部材（面部）
２３ａ，１２３ａ  スペーサ（延長部分）
３０，１３０  収納スペーサ（固定部材）
３１，１３１  仕切り部
３２，１３２  筒部
ＳＰ１        第１スペース
ＳＰ２        第２スペース
ＳＰ３        第３スペース
ＳＰ４        第４スペース
【先行技術文献】
【特許文献】
【００７４】
【特許文献１】特開２００２−２４０８５９号公報
【図１】
2010247881.tif 000003
【図２】
2010247881.tif 000004
【図３】
2010247881.tif 000005
【図４】
2010247881.tif 000006
【図５】
2010247881.tif 000007
【図６】
2010247881.tif 000008
【図７】
2010247881.tif 000009